(57)【要約】      （修正有）【課題】車のキー等の小物用のポケットとして使用でき、必要時にはポケットを取り外してポケットのない上着になり、取り外したポケットを第三者が管理しやすい上着を提供する。【解決手段】表側にポケットが無く、前見返し８に内ポケット９を有する上着１において、内ポケット９の上辺と内ポケット９の上辺に相当する前見返し８の位置に一対のスライドファスナー１０を備え、内ポケット９はスライドファスナー１０により前見返し８に対して着脱でき、内ポケット９の開口部を封止する面ファスナーを有し、内ポケット９の表側には氏名記入欄が設けられており、必要時において、内ポケット９を取り外し、記名により管理できる。【選択図】図３
0003206650.tif 000002
【実用新案登録請求の範囲】
【請求項１】
表側にポケットが無く、前見返しに内ポケットを有する上着において、前記内ポケットは上辺と前記内ポケットの上辺に相当する前見返しの位置に一対のスライドファスナーを備え、前記内ポケットは前記スライドファスナーにより前記前見返しに対して着脱でき、分離される前記内ポケット側に設けられ前記ポケットの開口部を封止するファスナーを有し、さらに当該内ポケットの表側には氏名記入欄が設けられていることを特徴とする上着。
【考案の詳細な説明】
【技術分野】
【０００１】
本考案は、着脱できる内ポケットのある上着に関するものである。
【背景技術】
【０００２】
ポケットを着脱可能にした衣服として、例えば特許文献１や特許文献２に開示される技術が知られている。特許文献１の技術は、作業服に取り付ける付加ポケットの個数を増やすことで収容容量を増大させて、作業現場での能率向上に寄与するものである。また、特許文献２の技術は、着脱可能なポケットの寸法、形状、取付位置を自由に変更して、その日の目的に応じた衣服にするものである。
【先行技術文献】
【特許文献】
【０００３】
【特許文献１】実用新案登録第３０７４６５８号公報
【特許文献２】実用新案登録第３１９１２０２号公報
【考案の概要】
【考案が解決しようとする課題】
【０００４】
食品工場において悪意を持った作業者が、殺虫剤や金属異物を持ち込み、商品に混入させる事件が海外で聞かれるようになった。国内でも、工場の外から異物を持ち込んだり、或いは備品を持ち出したりはしないよう持ち物を管理する必要が高まっている。例えば、外部の業者が工場に立ち入る場合にも、同様に持ち物の提出が要求され、所持品を一旦監視員、管理人等のいる庶務入口に預け、帰るときにまた受け取る。外部の業者のポケット内には、車のキーや、カード、ライター、小銭、ハンカチ、ティッシュなどの小物が入っており、それらを入退室の際に、取り出して一時預けるのは手間である。
【０００５】
また、工場設備内では、異物混入の防止、または、持ち出し防止のため、ポケットが一切無い作業服の着用が義務付けられている管理区域もある。作業員は、管理区域外へ出て休養時間や昼食をとるため、小銭や小物が入った財布、袋などを抱えて休息所、食堂へ移動しなければならない。
【０００６】
特許文献１、２によればポケットが上着と分離できるものではあるが、分離された時に第三者に預けられ、第三者より管理されることに対する考慮がない。
本考案は、車のキー等の小物用のポケットとして使用でき、必要時にはポケットを取り外してポケットのない上着になり、取り外したポケットを第三者が管理しやすい上着を提供することを目的とする。
【課題を解決するための手段】
【０００７】
本考案の上着は、表側にポケットが無く、前見返しに内ポケットを有する上着において、前記内ポケットは上辺と前記内ポケットの上辺に相当する前見返しの位置に一対のスライドファスナーを備え、前記内ポケットは前記スライドファスナーにより前記前見返しに対して着脱でき、分離される前記内ポケット側に設けられ前記ポケットの開口部を封止するファスナーを有し、さらに当該内ポケットの表側には氏名記入欄が設けられていることを特徴とする。
【考案の効果】
【０００８】
本考案の上着には表面に現れる表側、背側にはポケットがなく、上着の内側に唯一存在する内ポケットは着脱できるものとしているため、ポケットの無い服でしか、立ち入ることのできない場所に入るときには、ポケットを外して管理場所等に預けることができる。また、ポケットには氏名記入欄があるので、所有者を明確にすることができ管理しやすい。さらに、ポケットは封止できるので、預けている最中にポケット内のものが出てしまうこともない。
【図面の簡単な説明】
【０００９】
【図１】上着の前面を閉じた状態を示す図
【図２】上着の前面を開いた状態を示す図
【図３】上着の内ポケットを外した状態を示す図
【図４】内ポケットを示す図
【考案を実施するための形態】
【００１０】
以下、本考案に係る上着の一実施の形態について説明する。
図１は上着１の前面を閉じた状態を示す図で、図２は上着１の前面を開いた状態を示す図で、上着１の表面に現れる表側、背側にはポケットが設けられていない。図示例では、前身頃２において生地を縫い合わせ、ステッチ３によって、デザイン上の配慮としてポケットがあるように見せている。背側は、一般的な上着においてもポケットがあることはほぼないので、図示を省略した。図２において、上着１は前面において、スライドファスナー４により開閉でき、スライドファスナー４を閉じた際には、前立て５によりスライドファスナー４を覆っており、上着１の表面は全て柔らかい布により覆われるようになっている。スライドファスナー４の金属部が表面に露出して、不注意に衝突することにより設備器具に傷を付けないためである。また、ボタンを使用せず、襟部及び裾部は面ファスナー６、７により開閉するようになっている。
【００１１】
上着１の内側の前見返し８の位置に内ポケット９を有する。図３は上着１の内ポケット９を外した状態を示す図である。内ポケット９は上辺にスライドファスナー１０のエレメント列１０ａを有し、対応する前見返し８の位置にスライドファスナー１０のエレメント列１０ｂを備え、これらが対となって、内ポケット９が前見返し８に対し着脱できる。
【００１２】
図４は内ポケット９を示す図で、図４Ａはフラップ１１を閉じた状態、図４Ｂはフラップ１１を開いた状態を示している。内ポケット９は、カギやＩＤカードなどが入る大きさの袋状である。内ポケット９は上辺部を開口部とし、その開口部をフラップ１１により覆い、面ファスナー１２により封止される。面ファスナー１２は、分離される内ポケット９側に設けられ、内ポケット９の開口部を封止することにより、分離されて預けられている最中にでも封止できポケット内のものが出てしまうこともない。
【００１３】
内ポケット９の表面に、社名、所属、氏名、血液型などの氏名記入欄１３を設けている。氏名記入欄１３は氏名等の記入欄が印刷された布地からなり、内ポケット９に縫着されている。ポケットのある服で入室できない場合には、内ポケット９を外し、管理人等に預けるなどすることができる。ポケット内から小物を取り出し、貴重品を封筒に入れ、名前を記入し、封をして預けることは必要無い。内ポケット９には既に記名されている状態なので、入場の際の手間が大幅に削減できる。また、退出時には、記名されたポケットを受け取り、上着に付けるだけであるので管理が容易である。
【００１４】
内ポケット９の着脱にスライドファスナー１０を使用しているが、内側の前見返し部分に設けられており、上着１はスライドファスナー４及び面ファスナー６、７を閉じることにより、スライドファスナー４は前立て５により覆われ、表にスライドファスナー４、１０の金具が出ない構成になっている。また、スライドファスナー１０を用いたことにより、内ポケット９は常に安定的、かつ一定の向きで取り付けることができるので、車のキー等の貴重品を入れるのに安心である。一方で、面ファスナー１２は、内ポケット９の開口部を封止するだけであるので、ボタン、ジッパー等のどのような形態のファスナーでも良い。
【符号の説明】
【００１５】
１    上着
２    前身頃
３    ステッチ
４    スライドファスナー
５    前立て
６    面ファスナー
７    面ファスナー
８    前見返し
９    内ポケット
１０    スライドファスナー
１１    フラップ
１２    面ファスナー
１３    氏名記入欄
【図１】
0003206650.tif 000003
【図２】
0003206650.tif 000004
【図３】
0003206650.tif 000005
【図４】
0003206650.tif 000006